(57)【要約】  スクリーンに表示（映写）される画像シーケンスのコピーを識別する方法とシステム。画像シーケンスと区別される少なくとも１つの識別子が映写され、可視光線を使用して、識別子は画像シーケンスと共にスクリーンに表示される。識別子は周期的に間隔を置いて表示され、劇場の所在地、日付および／または時刻を決定できる。上映される画像シーケンスの少なくとも一部の色彩および／または照度を測定できる。測定された照度／色彩に基づいて、映写される識別子の輝度／色彩を決定できる。識別子を映写すべきスクリーン上の位置も決定できる。
2007503163.tif 000002
【特許請求の範囲】
【請求項１】
画像シーケンスのコピーをマークする方法であって、
前記画像シーケンスをスクリーンに映写するステップと、
前記画像シーケンスと異なる少なくとも１つの識別子をスクリーンに映写し、可視光線を使用して、前記表示される画像シーケンスと共に前記識別子を表示するステップと、
を含む、前記方法。
【請求項２】
少なくとも１つの識別子を表示する前記ステップが、更に、
前記表示される画像シーケンスの少なくも一部の照度を測定するステップと、
前記測定された照度に基づいて、少なくとも１つの識別子の映写輝度を決定するステップと、
を含む、請求項１記載の方法。
【請求項３】
前記測定された照度に基づいて、前記少なくとも１つの識別子の映写位置を決定するステップを更に含む、請求項２記載の方法。
【請求項４】
少なくとも１つの識別子を表示する前記ステップが、更に、
前記表示される画像シーケンスの少なくとも一部に関連する光の色を測定するステップと、
前記測定された光の色に基づいて、前記少なくとも１つの識別子の映写色を決定するステップと、
を含む、請求項１記載の方法。
【請求項５】
前記測定された光の色に基づいて、前記少なくとも１つの識別子の映写位置を決定するステップを更に含む、請求項４記載の方法。
【請求項６】
前記少なくとも１つの識別子が、周期的に間隔をおいて表示される、請求項１記載の方法。
【請求項７】
前記少なくとも１つの識別子が、劇場の所在地、日付および時刻からなるグループから選択される少なくとも１つのパラメータを規定する、請求項１記載の方法。
【請求項８】
前記映写された少なくとも１つの識別子が、ＦＥＣ（フォワード誤り訂正）符号を含むマーキング・データを表す、請求項１記載の方法。
【請求項９】
前記マーキング・データが、劇場識別子、日付および／または時刻のうち少なくとも１つを表す、請求項８記載の方法。
【請求項１０】
前記ＦＥＣ（フォワード誤り訂正）符号が、少なくとも幾つかのマーキング・データの排他的ＮＯＲ動作を表す、請求項８記載の方法。
【請求項１１】
前記画像シーケンスが、映画である、請求項１記載の方法。
【請求項１２】
画像シーケンスのコピーを識別するシステムであって、
スクリーンに映写されている前記画像シーケンスと異なる少なくとも１つの識別子をスクリーンに映写するプロジェクタを具え、
可視光線を使用して、前記表示された画像シーケンスと共に前記識別子を表示する、前記システム。
【請求項１３】
前記表示される画像シーケンスの少なくとも一部の照度を測定する検出器と、
前記測定された照度に基づいて、前記少なくとも１つの識別子の映写輝度を決定するプロセッサと、
を更に具える、請求項１２記載のシステム。
【請求項１４】
前記測定された照度に基づいて、前記少なくとも１つの識別子の映写位置を決定する、請求項１３記載のシステム。
【請求項１５】
前記映写される画像シーケンスの少なくとも一部に関連する光の色を測定する検出器と、
前記測定された光色に基づいて、少なくとも１つの識別子について映写色を決定するプロセッサと、を更に具える、請求項１２記載のシステム。
【請求項１６】
前記測定された光色に基づいて、少なくとも１つの識別子の映写位置を決定する、請求項１５記載のシステム。
【請求項１７】
前記少なくとも１つの識別子を周期的に間隔を置いて映写するようシステムが構成される、請求項１２記載のシステム。
【請求項１８】
前記少なくとも１つの識別子が、劇場の所在地、日付および時刻からなるグループから選択される少なくとも１つのパラメータを規定する、請求項１２記載のシステム。
【請求項１９】
前記映写される少なくとも１つの識別子が、ＦＥＣ（フォワード誤り訂正）符号を含むマーキング・データを表す、請求項１２記載のシステム。
【請求項２０】
前記マーキング・データが、劇場識別子、日付および／または時刻のうち少なくとも１つを表す、請求項１９記載のシステム。
【請求項２１】
前記ＦＥＣ符号が、少なくとも幾つかのマーキング・データの排他的ＮＯＲ動作を表す、請求項１９記載のシステム。
【請求項２２】
前記画像シーケンスが、映画である、請求項１２記載のシステム。
【請求項２３】
記録が行われた方法を特定する方法であって、
記録された映画を再生して、前記画像シーケンスを観るステップと、
少なくとも１つの画像シーケンスにおいて、可視光線を使用して映画と共に表示されたマーキング・パターンを識別するステップと、
から成り、
劇場所在地、日付および時刻からなるグループから選択される少なくとも１つのパラメータの識別がマーキング・パターンで得られる、前記方法。
【請求項２４】
前記マーキング・パターンが、ＦＥＣ（フォワード誤り訂正）符号を含むマーキング・データを表す、請求項２３記載の方法。
【請求項２５】
前記マーキング・データが、劇場識別子、日付および／または時刻のうち少なくとも１つを表す、請求項２４記載の方法。
【請求項２６】
前記ＦＥＣ符号が、少なくとも幾つかのマーキング・データの排他的ＮＯＲ動作を表す、請求項２４記載の方法。
【請求項２７】
記録された映画を記憶し、プロセッサでアクセスされたとき、記録された映画を再生する媒体であって、
前記映画を表す画像シーケンスを表す第１の部分を具え、
前記画像シーケンスのうち少なくとも１つがその中に、可視光線を使用して映画と共に表示されたマーキング・パターンを含む、前記媒体。
【請求項２８】
前記媒体が、ＤＶＤである、請求項２７記載の媒体。
【請求項２９】
前記媒体が、ビデオ・カメラのテープである、請求項２７記載の媒体。
【請求項３０】
前記マーキング・パターンが、劇場識別子、日付および／または時刻のうち少なくとも１つを表す、請求項２７記載の媒体。
【請求項３１】
前記マーキング・パターンが、ＦＥＣ（フォワード誤り訂正）符号を含むマーキング・データを表す、請求項２７記載の媒体。
【請求項３２】
前記ＦＥＣ符号が、少なくとも幾つかのマーキング・データの排他的ＮＯＲ動作を表す、請求項３１記載の媒体。
【発明の詳細な説明】
【技術分野】
【０００１】
本発明は、一般に、違法な（ｉｌｌｅｇａｌ：不正な）コピーから映画フィルムを保護することに関し、特に、ビデオ・カメラ（ｃａｍｃｏｒｄｅｒ：カムコーダ）で違法にコピーされるフィルムのソースを識別する方法に関する。
【背景技術】
【０００２】
映画フィルムの劇場公開に関連する海賊版の問題はよく知られている。配給者が映画フィルムを劇場公開のために映画館主に配給すると、その製作に関する管理がある程度失われる。フィルムが劇場で公開されると観客は、例えば、手持ちのビデオ・カメラでフィルムをこっそり録画するかもしれない。もっと手の込んだレベルになると、フィルム・プリントを違法にコピーしようとする者は、映画館の従業員と共謀して劇場の映写室に立ち入り、比較的管理された環境内で時間外にフィルムをコピーするかもしれない。このような環境内で、映写装置からビデオ・カメラにオーディオを直接入力できる。はっきりと安定した画像を確保するために三脚が使用され、違法なコピーが作られる。
【０００３】
１９８２年にＭＰＡＡ（Ｍｏｔｉｏｎ  Ｐｉｃｔｕｒｅ  Ａｓｓｏｃａｔｉｏｎ  ｏｆ  Ａｍｅｒｉｃａ：米国映画協会）は、コダック（Ｋｏｄａｋ）社と共に、フィルム・プリントを独自に識別する技術を開発した。この技術はＣＡＰ（Ｃｏｄｅｄ  Ａｎｔｉ‐Ｐｉｒａｃｙ：符号化海賊版防止）方式コーディングとして一般に知られる。符号は、一連のかすかなドットであって、プリントの製作時に画像内に付加される。１００フレーム毎に約１フレームは、画像に４個の小さいドットが付加される。一般に、映画プリントの一連番号を再構成するために１１のＣＡＰ符号化フレームが必要とされる。ドットの特異な構成の各々はプリントの識別子に対応する。
【０００４】
通常、フィルム・プリントは、フィルムが配給されている各劇場毎に符号化される。もしＣＡＰ符号化されたフィルムが、古いフィルムの上映を専門とする劇場で再使用されると、違法なフィルム・プリントが作られている劇場の識別（特定）は不可能となる。従って、フィルムの上映が予定されている各劇場毎に、新しいフィルム・プリントを製作しなければならない。しかしながら、フィルム・プリントの製作には経費を要する。また、その後フィルムを再公開するために新しいフィルム・プリントの製作源となるポジフィルムのライブラリの維持は費用がかかり面倒である。従って、フィルムがＣＡＰ符号化されているか否かに関らず、フィルムの違法なコピーが作られる劇場を識別する方法が必要である。
【発明の開示】
【０００５】
（発明の概要）
本発明は、スクリーンに表示される画像シーケンス（ｉｍａｇｅ  ｓｅｑｕｅｎｃｅ：例えば、ビデオまたは映画フィルム）のコピーを識別する（またはマークする）方法に関する。画像シーケンスと異なる少なくとも１つの識別子が映写され、識別子は画像シーケンスと共に、可視光線を使用してスクリーンに表示される。識別子は周期的に間隔を置いて表示され、劇場の所在地、日付および／または時刻を決定することができる。画像シーケンスの少なくとも一部の照度および／または色彩を測定することができる。測定された照度／色彩に基づいて、映写の輝度および／または色彩をその識別子について決定する。識別子を映写すべきスクリーン上の位置も決定する。
【０００６】
本発明は、画像シーケンスのコピーを識別する（またはマークする）システムも具える。このシステムは、画像シーケンスと区別される少なくとも１つの識別子をスクリーンに映写するプロジェクタ（映写機）を具え、可視光線を使用して、画像シーケンスと共に識別子がスクリーンに表示される。識別子は周期的に間隔をおいて表示され、劇場の所在地、日付および／または時刻を決定する。このシステムは、表示される画像シーケンスの少なくとも一部の照度および／または色彩を測定する検出器を具えることができる。また、このシステムは、測定された照度／色彩に基づいて、識別子の映写輝度および／または色彩を決定するプロセッサを具えることができる。プロセッサは、識別子を映写できるスクリーン上の映写位置を決定することもできる。
【発明を実施するための最良の形態】
【０００７】
本発明による実施例は、ビデオ表示の間、識別子をスクリーンに映写してマーキング・パターン（ｍａｒｋｉｎｇ  ｐａｔｔｅｒｎ）を発生する方法に関する。表示されるビデオ画像が記録（録画）されると、マーキング・パターンも記録される。マーキング・パターンで、ビデオ表示が行われた場所または施設およびビデオ表示が行われた日付および時刻も確認できる。ビデオ表示の行われた施設の確認に加えて、表示に使用された施設内の映写スクリーンも確認できる。従って、表示されるビデオからフィルムの違法なコピーが作られると、違法なコピーを判定し、そのコピーが作られた時と場所を決定できる。この光学的マーキングは、ビデオのプリント上ではなく、ビデオの表示（上映）の間に行われるので有利であり、のちに別の場所で或いは別の目的に使用されるプリントのマーキングに関し問題の生じる可能性はない。
【０００８】
他のシステムでは赤外線（ＩＲ）の光源を使用し、取り込まれた画像を取込装置内で劣化させる。多くの場合これはうまくいくが、失敗も免れない。赤外線の波長に敏感でない画像取込装置もある。赤外線に敏感な取込装置は、赤外線の波長をマスクするために普通に入手可能な赤外線（ＩＲ）フィルタと共に使用できる（例えば、ＸＮｉｔｅＣＣ１３７：販売者は  ＬＤＰ  Ｎｅｔ，Ｗｏｏｄｃｌｉｆｆ  Ｌａｋｅ  ＮＪ，ｗｗｗ．ｍａｘｍａｘ．ｃｏｍ）。しかしながら、本発明の原理によれば、少量の可視光線を使用して、取り込まれた画像内にマークを発生するので、そのようなフィルタの使用は防止される。マークが不正な画像取込装置の操作員に気づかれず除去もされない可能性は高められる。
【０００９】
図１に、表示されるビデオ画像にマーキング・パターンを表示するシステム１００を示す。システム１００は、スクリーン・ルーム内、編集室内、劇場内、その他ビデオが上映される場所に配置できる。ビデオが映写されるスクリーン１０５に識別子を映写することより、マーキング・パターンをビデオ内に表示でき、場所、日付／時間の情報で符号化できる。従って、画像取込装置（ＩＣＰ：Ｉｍａｇｅ  Ｃａｐｔｕｒｅ  Ｄｅｖｉｃｅ）１５０で記録される上映ビデオの違法なコピーに中にマーキング・パターンを符号化することができ、マーキング・パターンはその違法なコピーの画像フレーム内で検出される。
【００１０】
図２に、識別子（またはマーキング・パターン）２１０を有するフレーム２００を例示する。識別子２１０は元の画像シーケンスと異なる。「元の画像シーケンスと異なる」とは上映される画像シーケンスの源となる記録媒体に識別子が含まれていないことを意味する。識別子２１０は、１つまたは複数のシンボル２２０、例えば、１つまたは複数のキャラクタ、ドット、ライン、幾何学的形状、その他スクリーン上に映写できる識別可能なシンボルから成る。識別子がそのコピー内の１フレームまたは複数フレームを確実にマークするのに十分長い時間、識別子をスクリーン上に映写する。
【００１１】
ビデオ上映の間、識別子を幾度も所定の間隔を置いて映写できる。この所定の間隔は、時間期間、フレーム数、場面数、或いは他の測定される間隔により、決定する。ビデオの無許可のコピー上で識別子が判読できなくなる場合、識別子を幾度か映写することにより、マーキング・パターンの識別が容易となる。
【００１２】
図１で、二次プロジェクタ１１５を使用し、表示されるビデオ画像に識別子が重ねられる。第１の実施例で、二次プロジェクタ１１５は、本編（映画）の上映に先立ち、広告および補助的番組の上映にしばしば使用される映写機である。このようなプロジェクタは当業者に知られており、プロジェクタ１２５（上映ビデオの映写に使用される）に隣接して映写室１２０内で操作される。操作中、二次プロジェクタ１１５は、光を発生しない「消灯」モード（‘ｄｏｗｓｅｄ′  ｍｏｄｅ（ドーズト・モード））で電源を入れられる。その後、点灯され、１つまたは複数の識別子を有する画像が映写される。複数の識別子は、同時にまたは連続的に表示され、マーキング・パターンを形成する。好ましい構成で、識別子を有する画像は、表示される画像に著しく影響しない背景を有し、識別子は表示される画像内で検出できる。画像の背景は、黒のような暗い色にすることができる。識別子が映写された後、二次プロジェクタ１１５は電源オフにされ、または「消灯モード」に戻される。
【００１３】
他の実施例において、二次プロジェクタは、ＬＣＤ（液晶ディスプレイ）プロジェクタ、ＤＬＰ（Ｄｉｇｉｔａｌ  Ｌｉｇｈｔ  Ｐｒｏｓｅｓｓｉｎｇ：ディジタル光処理）プロジェクタ、ＬＣＯＳ（Ｌｉｑｕｉｄ  Ｃｒｙｓｔａｌ  Ｏｎ  Ｓｉｌｉｃｏｎ：シリコン上液晶）プロジェクタ、または表示画像内に識別子を映写するよう構成される他のタイプのプロジェクタである。ＬＣＤ、ＤＬＰおよびＬＣＯＳプロジェクタはディジタル制御される。このようなプロジェクタは、スクリーン１０５上で識別子の位置、輝度および色彩を選択でき有利である。スクリーン１０５上で識別子の位置を変更すると、識別子は観客に気づかれにくくなるが、マーキング・パターンを読み取ろうとするときに識別子は見つけにくくなる。
【００１４】
更に別の実施例で、二次プロジェクタ１１５は、ドット・パターンを具える回転ディスクの背後で光源を使用する光投射装置である。ドット・パターンは劇場の識別子を形成し、クロック・モータは１つまたは複数のディスクを回転させて時間情報を提供する。光源は周期的にフラッシュ（点滅）され、各フラッシュ（点滅）は指定された期間持続する。二次プロジェクタ１１５は独立型の装置として図示されているが、プロジェクタ１２５の中に組み入れることもできる。
【００１５】
二次プロジェクタ１１５は、処理装置（プロセッサ）１３０から、例えば、パーソナル・コンピュータ、ネットワーク装置、或いは他の適当な処理装置から発生される二次プロジェクタ１１５用の動作（オペレーティング）コマンドを受信できる。動作コマンドは二次プロジェクタ１１５に無線で伝送され、または処理装置１３０に関連するポートまたはバスを介して二次プロジェクタに伝送される。二次プロジェクタ１１５の操作は、劇場内の中央位置から、または劇場から遠く離れた位置から、制御できる。
【００１６】
別の構成において、二次プロジェクタ１１５は、スクリーン１０５に映写される識別子の輝度、色彩または位置を適応変更できるので、ＩＣＤ（Ｉｍａｇｅ  Ｃａｐｔｕｒｅ  Ｄｅｖｉｃｅ：画像取込（記憶）装置）１５０で形成される上映ビデオのコピーを耐久性にマークするという矛盾する要件を緩和すると同時に、観客の困惑を排除しまたは最少限度にする。ビデオ上映の間、スクリーン１０５の入射光の照度／色彩は、それと相関するデータを発生する検出器１６０で測定できる。データに基づいて、マーキング・パターンに使用される識別子の輝度／色彩を選択できるので、識別子は白い場面では十分に明るく目に見えるが、暗い場面では迷惑にならなくなる。
【００１７】
大抵の映画館で映写スクリーンに穴があけられ、スピーカは映写スクリーンの背後に配置され、音声はその穴（ｐｅｒｆｏｒａｔｉｏｎ：パーフォレーション）を通って放出されるが、光もその穴を通って投射される。従って、検出器１６０はスクリーン１０５の背後に配置されて、穴を通ってスクリーンから伝送する光線１６５を検出する。好ましい構成で、検出器１６０は、識別子が映写されるスクリーン１０５の１箇所または数個所で光を検出できる。検出器１６０は目盛りを調整して、スクリーン１０５に入射する光の色彩／照度と発生されたデータとを相関させることができる。
【００１８】
検出器１６０は、処理装置（プロセッサ）１３０に動作的に接続でき、または二次プロジェクタ１１５に直接に接続できる。プロセッサ１３０は、信号１３１により、検出器１６０から受信された照度／色彩データを処理し、信号１１６により、二次プロジェクタ１１５にコマンドを送り、二次プロジェクタ１１５は識別子を適正な輝度／色彩で映写する。また、スクリーン１０５上で識別子の配置を選択できる実施例において、コマンドを二次プロジェクタ１１５に送り、現在表示されている場面の照度／色彩に基づいて、識別子の最適配置を決定する。プロセッサ１３０は他の装置の外部に図示されているが、このような処理は、二次プロジェクタ１１５または検出器１６０の中に組み込まれたプロセッサで実行することもできる。
【００１９】
図３に検出器１６０を例示する。検出器１６０は、スクリーンから出る光を検出できるセンサ３１０（１個または数個）を具える。このようなセンサは多数の販売者、例えば、Ｒａｍｓｅｙ、ＮＪ  ０７４４６のコニカ・ミノルタ・ビジネス・ソリューションズ（Ｋｏｎｉｃａ  Ｍｉｎｏｌｔａ  Ｂｕｓｉｎｅｓｓ  Ｓｏｌｕｔｉｏｎｓ）  Ｕ．Ｓ．Ａ．，Ｉｎｃ．などから市販されている。検出器が、複数のセンサを具えると測定領域３２０を決定できる。測定領域３２０内の照度／色彩はセンサ３１０で測定できる。図示される検出器１６０は１６個のセンサ３１０を具えるが、本発明はこれに限定されず任意の数のセンサ３１０具えることができる。例えば、より高い解像度が所望なら、より多くのセンサ３１０を具え、より低い解像度が受け入れられるなら、センサ３１０の数をもっと少無くすることもできる。
【００２０】
別の構成で、検出器１６０はフレーム・イメージング・カメラ・センサ（イメージング・センサ）を具える。これを図５に示す。検出器１６０はスクリーン１０５の前方に配置され、反射光のレベル（矢印１６５で表す）を測定する。イメージング・センサより発生されるイメージ（画像）信号が処理され、映写された画像の照度／色彩情報についてリアルタイムに近い空間的スクリーン・マップが得られる。このスクリーン・マップを処理し、二次プロセッサより発せられる識別子の輝度／色彩を適応制御でき、スクリーン・マップを処理し、スクリーン上で識別子の最適位置を決定できる。イメージング・センサのピクチャ・レートは十分に高速で、積分時間は十分に短いのが理想的であり、プロジェクタの一度のシャッタ・オープニングからスクリーン・マップを設定でき、現在のフィルム・フレームの間に識別子を表示できる。イメージング・センサは、例えば、低空間解像度を有する高フレーム・レートのイメージング装置である。
【００２１】
図４に示すフローチャート４００は、本発明を理解するのに役立つ。ステップ４１０から始まり、イメージング・シーケンスがスクリーンに上映される。ステップ４２０で、この画像シーケンスの少なくとも一部の照度および／または色彩が測定される。ステップ４３０に進み、照度／色彩情報が処理され、スクリーンに映写される識別子の輝度／色彩を決定できる。測定された照度／色彩情報に基づいて、識別子の映写位置も決定する。次に識別子はスクリーンに映写され、ステップ４４０で、上映されるビデオ内に検出できるマーキング・パターンを形成する。
【００２２】
このマーキング・パターンは、マーキング・データから発生できる。再生された海賊版からマーキング・パターンを再生する能力を高めるために、マーキング・パターンに誤り訂正スキームを使用してデータの信頼性を増すことができる。これを図６で説明する。図６は本発明の原理によるマーキング・パターンの発生に使用するマーキング・データを例示する。マーキング・データ５０５は５バイトのデータ（バイト０〜４）から成り、ＴＩＤ０〜ＴＩＤ１３（バイト０と１）で表される１４ビット、ビットＪｕｌ０〜Ｊｕｌ８（バイト２と、バイト３の一部）で表されるユリウス通日（０〜３６４）、およびビットＴｉｍｅ０〜Ｔｉｍｅ４（バイト３の残りの部分）で表される時間単位の時刻（０〜２３）から成る劇場ＩＤを伝送する。図６で、バイト０〜４はパリティ・ビットを含む、奇数パリティ・ビットは各バイトにおける他の７ビットのＸＮＯＲ（排他的ＮＯＲ）に等しい。バイト４はＦＥＣ（Ｆｏｒｗａｒｄ  Ｅｒｒｏｒ  Ｃｏｒｒｅｃｔｉｏｎ：フォワード誤り訂正）バイトを表し、これは他の４バイト（バイト０〜３）のＸＮＯＲとして定義される。マーキング・データは、プロセッサ１３０またはプロジェクタ１１５を介して、マーキング・パターンに変換され、各ビット値は、マーキング・パターンの１画素または複数画素の色彩で表される。この符号を使用し、もし（その後の録画で）１画素（または画素のグループ）が無効になると、そのバイトは訂正され、もし１バイトが無効になると、それも再生できる。本例では、単純なパリティをベースとする符号化方式を使用するが、ＢＣＨ符号、リード・ソロモン（Ｒｅｅｄ‐Ｓｏｌｏｍｏｎ）符号、ゴッパ（Ｇｏｐｐａ）符号、畳込み符号などの誤り訂正符号を当業者が使用できることは明らかである。
【００２３】
本発明の好ましい実施例について説明したが、本発明はこれに限定されない。特許請求の範囲に記載の本発明の技術思想と範囲から離脱することなく、多数の修正、変更、変形、代替物および同等物が当業者に思い浮かばれるであろう。
【図面の簡単な説明】
【００２４】
【図１】本発明を理解するのに役立つ、ビデオ画像映写システムである。
【図２】マーキング・パターンが画像に映写されているフレームを示す。
【図３】本発明を理解するのに役立つ、照度／色彩検出器を例示する。
【図４】本発明を理解するのに役立つ、フローチャートである。
【図５】本発明の原理による、別の実施例を示す。
【図６】本発明の原理による、マーキング・データの形態を例示する。
【図１】
2007503163.tif 000003
【図２】
2007503163.tif 000004
【図３】
2007503163.tif 000005
【図４】
2007503163.tif 000006
【図５】
2007503163.tif 000007
【図６】
2007503163.tif 000008
【国際調査報告】
2007503163.tif 000009
2007503163.tif 000010
2007503163.tif 000011